(57)【要約】【課題】車輌を高額で転売でき、買取価格の透明性を確保して売却者の信用を高め、併せて多額の車輌調達資金を必要としない。【解決手段】売却を委託された車輌を修復した後に売却が成功したときには、その売却価格から車輌の修復費用と所定の手数料とを減じた委託売却金額を支払い、売却が成功しなかったときには買取保証金を支払う。サーバー・コンピュータ１は、車輌修復見積費用、修復後の車輌売却見積価格及びこの車輌売却見積価格から車輌修復見積費用と所定の手数料とを減じた金額を買取保証金として算出し、使用した車輌修復料金データ、車輌売却相場価格データと共に提示用資料として出力する。売却価格は委託者が設定する。【選択図】  図１
2008027018.tif 000002
【特許請求の範囲】
【請求項１】
売却を委託された車輌を修復した後に売却が成功したときには、その売却価格から車輌の修復費用と所定の手数料とを減じた委託売却金額を支払い、
売却が成功しなかったときには、買取保証金を支払うシステムであって、
委託者端末と加盟店端末とに、通信ネットを介して接続可能なサーバー・コンピュータを有しており、
上記サーバー・コンピュータは、記録媒体を備え、
上記記録媒体には、車輌修復料金データと車輌売却相場価格データとが記録してあり、
上記サーバー・コンピュータは、受信手段によって上記委託者端末から売却を委託された車輌の情報を受信した場合には、この車輌の情報を、記録手段によって上記記録媒体に記録し、
上記サーバー・コンピュータは、上記情報を受信した車輌について、上記記録媒体に記録された車輌修復料金データと車輌売却相場価格データとから、算出手段によって車輌修復見積費用と修復後の車輌売却見積価格とを算出すると共に、この算出した車輌修復見積費用と修復後の車輌売却見積価格とを、上記記録手段によってこの記録媒体に記録し、
上記サーバー・コンピュータは、上記算出手段によって、上記記録媒体に記録した修復後の車輌売却見積価格から、この記録媒体に記録した車輌修復見積費用と所定の手数料とを減じた金額を買取保証金として算出すると共に、この算出した買取保証金を、上記記録手段によってこの記録媒体に記録し、
上記サーバー・コンピュータは、上記記録媒体に記録した上記車輌修復見積費用及び車輌売却見積価格、これらの見積りに使用した上記車輌修復料金データ及び車輌売却相場価格データ、並びに上記買取保証金を、送信手段によって上記委託者端末に送信し、
上記サーバー・コンピュータは、上記委託者端末から、上記受信手段によって、車輌の売却希望価格を受信した場合には、この売却希望価格を上記記録手段によって上記記録媒体に記録すると共に、この売却希望価格、並びにこの記録媒体に記録された上記車輌の情報、車輌修復見積費用、修復後の車輌売却見積価格及び買取保証金を、上記送信手段によって上記加盟店端末に送信し、
上記サーバー・コンピュータは、上記受信手段によって、上記加盟店端末から上記売却を委託された車輌の買取申し込み情報を受信した場合には、この買取申し込み情報を、上記送信手段によって上記委託者端末に送信する
ことを特徴とする車輌委託売却システム。
【請求項２】
売却を委託された車輌を修復した後に売却が成功したときには、その売却価格から車輌の修復費用と所定の手数料とを減じた委託売却金額を支払い、
売却が成功しなかったときには、買取保証金を支払うシステムであって、
委託者端末と加盟店端末とに、通信ネットを介して接続可能なサーバー・コンピュータを有しており、
上記サーバー・コンピュータは、記録媒体を備え、
上記記録媒体には、車輌修復料金データと車輌売却相場価格データとが記録してあり、
上記サーバー・コンピュータは、受信手段によって上記委託者端末から売却を委託された車輌の情報を受信した場合には、この車輌の情報を、記録手段によって上記記録媒体に記録し、
上記サーバー・コンピュータは、上記情報を受信した車輌について、上記記録媒体に記録された車輌修復料金データと車輌売却相場価格データとから、算出手段によって車輌修復概算見積費用と修復後の車輌売却概算見積価格とを算出すると共に、この算出した車輌修復概算見積費用と修復後の車輌売却概算見積価格とを、上記記録手段によってこの記録媒体に記録し、
上記サーバー・コンピュータは、上記算出手段によって、上記記録媒体に記録した修復後の車輌売却概算見積価格から、この記録媒体に記録した車輌修復概算見積費用と所定の手数料とを減じた金額を概算買取保証金として算出すると共に、この算出した概算買取保証金を、上記記録手段によってこの記録媒体に記録し、
上記サーバー・コンピュータは、上記記録媒体に記録した上記車輌修復概算見積費用及び車輌売却概算見積価格、これらの概算見積りに使用した上記車輌修復料金データ及び車輌売却相場価格データ、並びに上記概算買取保証金を、送信手段によって上記委託者端末に送信し、
上記サーバー・コンピュータは、上記受信手段によって上記委託者端末から売却を委託された車輌の査定情報を受信した場合には、この査定車輌の査定情報を、上記記録手段によって上記記録媒体に記録し、
上記サーバー・コンピュータは、上記査定情報を受信した車輌について、上記記録媒体に記録された車輌修復料金データと車輌売却相場価格データとから、上記算出手段によって車輌修復正式見積費用と修復後の車輌売却正式見積価格とを算出すると共に、この算出した車輌修復正式見積費用と修復後の車輌売却正式見積価格とを、上記記録手段によってこの記録媒体に記録し、
上記サーバー・コンピュータは、上記算出手段によって、上記記録媒体に記録した修復後の車輌売却正式見積価格から、この記録媒体に記録した車輌修復正式見積費用と所定の手数料とを減じた金額を正式買取保証金として算出すると共に、この算出した正式買取保証金を、上記記録手段によってこの記録媒体に記録し、
上記サーバー・コンピュータは、上記記録媒体に記録した上記車輌修復正式見積費用及び車輌売却正式見積価格、これらの見積りに使用した上記車輌修復料金データ及び車輌売却相場価格データ、並びに上記正式買取保証金を、送信手段によって上記委託者端末に送信し、
上記サーバー・コンピュータは、上記委託者端末から、上記受信手段によって、車輌の売却希望価格を受信した場合には、この売却希望価格を上記記録手段によって上記記録媒体に記録すると共に、この売却希望価格、並びにこの記録媒体に記録された上記車輌の査定情報、車輌修復正式見積費用、修復後の車輌売却正式見積価格及び正式買取保証金を、上記送信手段によって上記加盟店端末に送信し、
上記サーバー・コンピュータは、上記受信手段によって、上記加盟店端末から上記売却を委託された車輌の買取申し込み情報を受信した場合には、この買取申し込み情報を、上記送信手段によって上記委託者端末に送信する
ことを特徴とする車輌委託売却システム。
【発明の詳細な説明】
【技術分野】
【０００１】
本発明は、例えば乗用車の所有者が、その乗用車を第三者に委託して売却するための車輌委託売却システムに関し、特に車輌を修復して売却すること、売却金額の透明性を確保すること、及び売却金額を後払いとすること等を特徴とする車輌委託売却システムに関する。
【背景技術】
【０００２】
従来、例えば乗用車の所有者がその乗用車を売却する場合には、通常、自動車買取専門店に売却したり、自動車販売店にて新車購入の下取車として買取ってもらう等していた。この売却の際には、自動車の種類、型式、年式、走行距離、装備品、及び外観等の査定に基づいて、いわゆる中古車の売却相場から売却価格が決定される。
【０００３】
また上述した自動車の売却では、外観等に傷や凹み等の欠陥があっても、そのまま修復しないで店頭展示やオークションに提供され、また売却金は、自動車販売店等における買取即日払いが基本であった。
【発明の開示】
【発明が解決しようとする課題】
【０００４】
しかしこのような従来の手段では、次の改良すべき問題があった。すなわち売却を希望する自動車の所有者側からの問題点としては、売却価格は、自動車買取専門店等による査定によって一方的に決定されるため、安く買叩かれているのではないかという不信感が常に残る。往々にして売却した自動車が、はるかに高額で展示されて転売される場合もあり、その実情を知って愕然とする場合も多い。すなわち自動車を既に売却した所有者は、その自動車が実際に幾らで転売されるか否かについては、全く関与できない。
【０００５】
また売却を希望する自動車には、通常、使用には支障がない程度の外観上の傷等があり、その傷等が買取り査定価格を大きく下げてしまう場合が多い。しかるにその程度の傷等の修復には、あまりコストが掛からない割りに、修復後の転売価格は大きく上昇する。ところが、いったん売却を決めた所有者が、その売却前に、わざわざ自動車の傷等を修復する場合は殆どなく、上述したように低い査定価格で売却しているのが実情である。
【０００６】
一方自動車を買取る例えば自動車買取専門店等側からの問題点としては、第１に、自動車の買取時に即日支払が原則であるため、ある程度自動車の数量を揃えて転売ビジネスを行なうためには、多額の車輌調達資金が必要となる。このため新規ビジネス参入が困難になっている。また上述したように自動車の買取価格は、ほぼ一方的に決定できるので、できるだけ安く買叩くと共に、転売価格を高くできれば、その分利益を大幅に増加することができるという旨みがあるものの、売却者の不信感は拭えず、今後のビジネス拡大には、かえって大きな障害となる恐れもあり得る。
【０００７】
そこで本発明の目的は、車輌を高額で転売でき、買取価格の透明性を確保して売却者の信用を高め、併せて多額の車輌調達資金を必要としない車輌委託売却システムを提供することにある。
【課題を解決するための手段】
【０００８】
上述した課題を解決すべく、本願請求項１に係る発明による自動車売却支援システムの特徴は、第１に、売却を委託された車輌を修復した後に売却することにある。第２に、売却が成功したときには、その売却価格から車輌の修復費用と所定の手数料とを減じた委託売却金額を支払うことにある。第３に、売却が成功しなかったときには、一定の買取保証金を支払うことにある。第４に、車輌の修復見積費用と修復後の車輌の売却見積価格とを、これらの実績データと共に委託者に明示することにある。第５に、車輌の売却価格は、売却の委託者が希望する価格に設定できることにある。第６に、売却料金は、車輌の売却が終わった後で委託者へ支払う、後払いであることにある。そして第７に、この自動車売却支援システムにおける情報処理を、サーバー・コンピュータ、委託者端末、加盟店端末、通信ネット、及び記録媒体等のハードウエア資源を用いて具体的に実現させていることにある。
【０００９】
すなわち本願請求項１に係る自動車売却支援システムは、売却を委託された車輌を修復した後に売却が成功したときには、その売却価格から車輌の修復費用と所定の手数料とを減じた委託売却金額を支払い、売却が成功しなかったときには、買取保証金を支払うシステムである。この自動車売却支援システムは、委託者端末と加盟店端末とに、通信ネットを介して接続可能なサーバー・コンピュータを有しており、このサーバー・コンピュータは、記録媒体を備えている。上記記録媒体には、車輌修復料金データと車輌売却相場価格データとが記録してある。
【００１０】
上記サーバー・コンピュータは、受信手段によって、上記委託者端末から売却を委託された車輌の情報を受信した場合には、この車輌の情報を、記録手段によって上記記録媒体に記録する。そして上記サーバー・コンピュータは、上記情報を受信した車輌について、上記記録媒体に記録された車輌修復料金データと車輌売却相場価格データとから、算出手段によって車輌修復見積費用と修復後の車輌売却見積価格とを算出すると共に、この算出した車輌修復見積費用と修復後の車輌売却見積価格とを、上記記録手段によってこの記録媒体に記録する。
【００１１】
また上記サーバー・コンピュータは、上記算出手段によって、上記記録媒体に記録した修復後の車輌売却見積価格から、この記録媒体に記録した車輌修復見積費用と所定の手数料とを減じた金額を買取保証金として算出すると共に、この算出した買取保証金を、上記記録手段によってこの記録媒体に記録する。そして上記サーバー・コンピュータは、上記記録媒体に記録した上記車輌修復見積費用及び車輌売却見積価格、これらの見積りに使用した上記車輌修復料金データ及び車輌売却相場価格データ、並びに上記買取保証金を、送信手段によって上記委託者端末に送信する。
【００１２】
上記サーバー・コンピュータは、上記委託者端末から、上記受信手段によって車輌の売却希望価格を受信した場合には、この売却希望価格を上記記録手段によって上記記録媒体に記録すると共に、この売却希望価格、並びにこの記録媒体に記録された上記車輌の情報、車輌修復見積費用、修復後の車輌売却見積価格及び買取保証金を、上記送信手段によって上記加盟店端末に送信する。そして上記サーバー・コンピュータは、上記受信手段によって、上記加盟店端末から上記売却を委託された車輌の買取申し込み情報を受信した場合には、この買取申し込み情報を、上記送信手段によって上記委託者端末に送信する。
【００１３】
ここで、「売却を委託された車輌」とは、乗用車、商業車、作業車等の自動車の中古車及び新古車を意味する。「車輌を修復」とは、売却を委託された車輌を売却する前に、例えば傷、凹み、あるいは錆といった車輌の外観上の欠陥の修復、振動、異音及び電気系統の不良といった機能上の欠陥の修復、車輌内外装の清掃、並びにエンジンオイル、バッテリー液及びエアコン液の点検・補充等を行なうことを意味する。
【００１４】
「所定の手数料」とは、車輌の売却を委託された本システムの運用者が受け取る手数料を意味し、例えば１０〜２０万円といった一定の金額に限らず、例えば１０〜２０％といった売却金額に対する一定の割合の金額とする場合も含む。「委託者端末」とは、売却を委託する車輌の所有者の使用するコンピュータを意味し、その種類、性能及び数量等を問わない。また「加盟店端末」とは、本システムのビジネスに加盟する車輌の買取・販売業者が利用するコンピュータを意味し、その種類、性能及び数量等を問わない。さらに本システムの運用者が、加盟店の１を兼ねる場合には、「加盟店端末」は「運用者端末」を意味する。
【００１５】
「通信ネット」とは、インターネットで代表される汎用の電気通信回線網を意味するが、イントラネット等の専用回線も含む。また「サーバー・コンピュータ」とは、本システムの運用者、または本システムの運用者の委託を受けた者が利用するコンピュータを意味し、その種類、性能及び数量等を問わない。また本システムの運用者の占有するコンピュータに限らず、レンタルのコンピュータも含む。「記録媒体」とは、所定の情報の記録と呼出しとが可能な記録メディアを意味し、内蔵あるいは外付けハードディスクやＤＶＤ等が該当する。
【００１６】
「車輌修復料金データ」とは、車輌の修復項目毎に分類された、その修復に必要な人工費と材料費等についての規定料金を意味する。「車輌売却相場価格データ」とは、上述した車輌の型式、年数、走行距離等の基本情報、及び内外装の程度、エンジンや足回りの状態、走行性能の他、事故の修復歴、冠水歴、接合歴、炎上暦といった重大瑕疵の有無や程度等毎に分類された、いわゆる車輌売却市場における相場価格を意味する。「受信手段」とは、サーバー・コンピュータが、外部から送られてきた情報やデータを受信する周知の機能手段を意味し、各種のインターフェイスやＣＰＵ等のハードウエアと、これらを作動させるプログラムとを含む。
【００１７】
「売却を委託された車輌の情報」とは、売却を委託された車輌の、型式、年数、走行距離等の基本情報、及び内外装の程度、エンジンや足回りの状態、走行性能の他、事故の修復歴、冠水歴、接合歴、炎上暦といった重大瑕疵の有無や程度等についての情報で、例えば委託者の自己申告によるものや、あるいは運用者や加盟店が雇用または委託する検査員による自動車の査定情報を意味する。
【００１８】
「記録手段」とは、サーバー・コンピュータが、外部から送られてきた情報や処理データを、記録媒体に記録したり呼出したりする周知の機能手段を意味し、ＣＰＵ等のハードウエアと、これらを作動させるプログラムとを含む。「算出手段」とは、サーバー・コンピュータが、外部から送られてきた情報や記録媒体に記録された情報等を、演算処理する周知の機能手段を意味し、ＣＰＵ等のハードウエアと、これらを作動させるプログラムとを含む。「これらの見積りに使用した車輌修復料金データ」とは、売却を委託された車輌に行なう修復項目毎についての、規定料金を意味する。
【００１９】
また「これらの見積りに使用した車輌売却相場価格データ」とは、売却を委託された車輌についての、相場価格を意味し、例えば平均値、最低価格と最高価格との双方を示すデータ、あるいは多数の売却価格実績をプロットしたグラフ等が該当する。「車輌の買取申し込み情報」とは、加盟店端末から送信される情報であって、当該車輌について買取を希望する意思表示、買取価格、およびその他の取引条件に関する情報を意味する。
【００２０】
次に本願請求項２に係る発明による自動車売却支援システムの特徴は、サーバー・コンピュータが、車輌修復見積費用、修復後の車輌売却見積価格、及び買取保証金を、概算と正式との２段階に分けて、委託者端末に提示することにある。
【００２１】
すなわち本願請求項２に係る発明による自動車売却支援システムは、売却を委託された車輌を修復した後に売却が成功したときには、その売却価格から車輌の修復費用と所定の手数料とを減じた委託売却金額を支払い、売却が成功しなかったときには、買取保証金を支払うシステムであって、委託者端末と加盟店端末とに、通信ネットを介して接続可能なサーバー・コンピュータを有しており、上記サーバー・コンピュータは、記録媒体を備えている。そして上記記録媒体には、車輌修復料金データと車輌売却相場価格データとが記録してある。
【００２２】
上記サーバー・コンピュータは、受信手段によって上記委託者端末から売却を委託された車輌の情報を受信した場合には、この車輌の情報を、記録手段によって上記記録媒体に記録する。また上記サーバー・コンピュータは、上記情報を受信した車輌について、上記記録媒体に記録された車輌修復料金データと車輌売却相場価格データとから、算出手段によって車輌修復概算見積費用と修復後の車輌売却概算見積価格とを算出すると共に、この算出した車輌修復概算見積費用と修復後の車輌売却概算見積価格とを、上記記録手段によってこの記録媒体に記録する。
【００２３】
上記サーバー・コンピュータは、上記算出手段によって、上記記録媒体に記録した修復後の車輌売却概算見積価格から、この記録媒体に記録した車輌修復概算見積費用と所定の手数料とを減じた金額を概算買取保証金として算出すると共に、この算出した概算買取保証金を、上記記録手段によってこの記録媒体に記録する。また上記サーバー・コンピュータは、上記記録媒体に記録した上記車輌修復概算見積費用及び車輌売却概算見積価格、これらの概算見積りに使用した上記車輌修復料金データ及び車輌売却相場価格データ、並びに上記概算買取保証金を、送信手段によって上記委託者端末に送信する。
【００２４】
上記サーバー・コンピュータは、上記受信手段によって上記委託者端末から売却を委託された車輌の査定情報を受信した場合には、この査定車輌の査定情報を、上記記録手段によって上記記録媒体に記録する。また上記サーバー・コンピュータは、上記査定情報を受信した車輌について、上記記録媒体に記録された車輌修復料金データと車輌売却相場価格データとから、上記算出手段によって車輌修復正式見積費用と修復後の車輌売却正式見積価格とを算出すると共に、この算出した車輌修復正式見積費用と修復後の車輌売却正式見積価格とを、上記記録手段によってこの記録媒体に記録する。
【００２５】
上記サーバー・コンピュータは、上記算出手段によって、上記記録媒体に記録した修復後の車輌売却正式見積価格から、この記録媒体に記録した車輌修復正式見積費用と所定の手数料とを減じた金額を正式買取保証金として算出すると共に、この算出した正式買取保証金を、上記記録手段によってこの記録媒体に記録しする。また上記サーバー・コンピュータは、上記記録媒体に記録した上記車輌修復正式見積費用及び車輌売却正式見積価格、これらの見積りに使用した上記車輌修復料金データ及び車輌売却相場価格データ、並びに上記正式買取保証金を、送信手段によって上記委託者端末に送信する。
【００２６】
上記サーバー・コンピュータは、上記委託者端末から、上記受信手段によって、車輌の売却希望価格を受信した場合には、この売却希望価格を上記記録手段によって上記記録媒体に記録すると共に、この売却希望価格、並びにこの記録媒体に記録された上記車輌の査定情報、車輌修復正式見積費用、修復後の車輌売却正式見積価格及び正式買取保証金を、上記送信手段によって上記加盟店端末に送信する。そして上記サーバー・コンピュータは、上記受信手段によって、上記加盟店端末から上記売却を委託された車輌の買取申し込み情報を受信した場合には、この買取申し込み情報を、上記送信手段によって上記委託者端末に送信する。
【００２７】
ここで「売却を委託された車輌の情報」とは、売却を委託された車輌の、型式、年数、走行距離等の基本情報、及び内外装の程度、エンジンや足回りの状態、走行性能の他、事故の修復歴、冠水歴、接合歴、炎上暦といった重大瑕疵の有無や程度等についての情報で、委託者の自己申告によるものを意味する。「車輌修復概算見積費用」、「車輌売却概算見積価格」、及び「概算買取保証金」は、それぞれ委託者の自己申告による車輌の情報に基づく見積り等を意味する。
【００２８】
「売却を委託された車輌の査定情報」とは、売却を委託された車輌の、型式、年数、走行距離等の基本情報、及び内外装の程度、エンジンや足回りの状態、走行性能の他、事故の修復歴、冠水歴、接合歴、炎上暦といった重大瑕疵の有無や程度等についての情報で、運用者や加盟店が雇用または委託する検査員による自動車の査定情報を意味する。なお検査員による自動車の査定情報の受信には、この検査員が、売却を委託する者の自宅や、査定工場等の指定場所から、持参した携帯端末等によって、インターネットを介して送信された情報を受信する場合も含む。「車輌修復正式見積費用」、「車輌売却正式見積価格」、及び「正式買取保証金」は、それぞれ検査員による自動車の査定情報に基づく見積り等を意味する。
【発明の効果】
【００２９】
売却を委託された車輌を修復した後に売却することによって、売却価格を大幅に上昇させることが可能となり、後述するように売却の委託者の受領金額も増加させ得る。また売却車輌の見場や品質が向上し、売却の成功率が高くなると共に、運用者や加盟店の評価も向上させ得る。売却が成功したときには、その売却価格から車輌の修復費用と所定の手数料とを減じた委託売却金額を支払うことによって、売却の委託者は、その車輌が実際に売却された価格を知ることができ、その売却価格に対応する金額を受領できるため、安く買叩かれるというような不信感を払拭できる。
【００３０】
売却が成功しなかったときには、一定の買取保証金を支払うことによって、売却の委託者は、例え売却が不首尾に終わっても、後述するように、少なくとも従来のように買取専門店に直接売却する場合より高額な買取保証金を受け取ることができる。車輌の修復見積費用と修復後の車輌売却見積価格とを、この修復に必要な規定料金と車輌売却相場価格データと共に委託者に提示することによって、売却価格の見積の透明性と客観性とが極めて高くなり、売却の委託者の信用度をさらに強化できる。なおこの客観性の高い売却価格の見積によって、後述するように売却の委託者は、市場の相場等を踏まえて、希望する売却価格を設定することができる。
【００３１】
買取保証金として、修復後の車輌売却見積価格から、車輌修復見積費用と所定の手数料とを減じた金額に設定することによって、例え売却が不首尾に終わっても、売却の委託者は、従来のように修復しないでそのまま転売する買取専門店に直接売却する場合より、高額な買取保証金を受け取ることができる。
【００３２】
車輌の売却価格を、売却の委託者が希望する価格に設定することによって、売却の委託者は、自己の裁量によって売却価格を自由に設定することができる。すなわち売却の成功率は低くなっても、多くの収入が得られるように売却価格を高値に設定することも、逆に売却価格を低めに設定して、売却の成功率を高めることも、自由に選択することができる。したがって売却の委託者は、従来のように車輌の売却を第三者に委ねるのではなく、自ら積極的に参加できるために、従来の車輌販売ビジネスにはない、新たな魅力を創出することができる。
【００３３】
売却料金は、車輌の売却が終わった後で委託者へ支払う後払いであることによって、本システムを実施する際には、多額の車輌調達資金を必要としないため、このビジネスへの新規参入や、継続的発展が容易になる。
【００３４】
車輌修復見積費用、修復後の車輌売却見積価格、及び買取保証金を、概算と正式との２段階に分けて、委託者端末に提示することによって、委託者は、まず自己申告による車輌の情報によって、より簡便に修復後の車輌売却見積価格等を知ることができると共に、査定による車輌の情報によって、より詳細な修復後の車輌売却見積価格等を知ることができる。
【発明を実施するための最良の形態】
【００３５】
図１〜図５を参照しつつ、本発明による車輌委託売却システムの具体例を説明する。さて図１に示すように、本発明による車輌委託売却システムは、運用者端末３、加盟店端末４、及び委託者における端末５と、それぞれインターネット６を介して接続可能なサーバー・コンピュータ１を有しており、このサーバー・コンピュータは、外付けハードディスクからなる記録媒体２を備えている。なお加盟店端末４は、３つの加盟店端末４a、４ｂ、４ｃから構成されている。また委託者における端末５は、委託者端末５ａと、車輌を査定する検査員が持参した携帯端末５ｂと、携帯電話５ｃとから構成されている。
【００３６】
次に図２〜図４に示すブロック図により、本システムの情報処理を説明する。なお破線で示したブロック部分は、サーバー・コンピュータ１等を介さない処理を示している。さて委託者端末５ａから、本発明による車輌委託売却システムの運用者のホームページ（ＨＰ）にアクセスがあった場合には（Ａ）、サーバーコンピュータ１は、抽出手段によって、記録媒体２に記録してある車輌情報入力画面を抽出し、送信手段によって、この委託者端末に送信する（Ｂ）。次にサーバーコンピュータ１は、委託者端末５ａから、売却を希望する車名、型式、年式、走行距離、及び外観写真等の車輌情報を、受信手段によって受信した場合には、記録手段によって、この車輌情報を記録媒体２に記録し、さらにこの記録媒体に記録されている車輌修復料金データと、車輌売却相場価格データとから、算出手段によって、車輌修復概算見積費用と、修復後の車輌売却概算見積価格とを算出して、それらの算出結果を、この記録手段によって、記録媒体２に記録する（Ｄ）。
【００３７】
またサーバーコンピュータ１は、記録媒体２に記録した修復後の車輌売却概算見積価格から、算出手段によって、この記録媒体に記録した車輌修復概算見積費用と、この車輌売却概算見積価格の２０％分に相当する手数料とを減じた金額を、概算買取保証金額として算出すると共に、この算出した概算買取保証金額を、記録手段によって、記録媒体２に記録する。そしてサーバーコンピュータ１は、記録媒体２に記録した車輌修復概算見積費用及び修復後の車輌売却概算見積価格、これらの概算見積りに使用した車輌修復料金データ及び車輌売却相場価格データ、並びに概算買取保証金額を、抽出手段によって抽出すると共に、送信手段によって委託者端末５ａに送信する（Ｄ）。なおサーバーコンピュータ１は、検査員による車輌の査定を希望するか否かについても、送信手段によって委託者端末５ａに送信する（Ｄ）。
【００３８】
次にサーバーコンピュータ１は、受信手段によって、委託者端末５ａから、査定の希望日時と場所等と共に、車輌の査定依頼を受信した場合には、これらの情報を、記録手段によって記録媒体２に記録すると共に、送信手段によって運用者端末３に送信する（Ｆ）。そしてサーバーコンピュータ１は、受信手段によって、運用者端末３から、査定員派遣案内を受信した場合には、その情報を、記録手段によって記録媒体２に記録すると共に、送信手段によって委託者端末５ａに送信する（Ｈ）。
【００３９】
なお本システムの運用者は、車輌の査定を専門的に行う査定員を、この委託者の指定する場所、例えば委託者の住居に派遣する（I）。査定員は、委託者の住居等において、売却を希望する車輌について、型式、年数、走行距離等の基本情報、及び内外装の程度、エンジンや足回りの状態、走行性能の他、事故の修復歴、冠水歴、接合歴、炎上暦といった重大瑕疵の有無や程度等について検査を行う（Ｊ）。
【００４０】
査定員は、これらの検査に基づく車輌の査定情報を、委託者端末５ａ、あるいは持参した携帯端末５ｂに入力して、サーバー・コンピュータ１に送信する（Ｋ）。サーバー・コンピュータ１は、受信手段によって、上記車輌の査定情報を受信した場合には、この車輌の査定情報を、記録手段によって記録媒体２に記録する。そしてサーバー・コンピュータ１は、上記査定情報を受信した車輌について、記録媒体２に記録された車輌修復料金データと、車輌売却相場価格データとから、算出手段によって、車輌修復正式見積費用と、修復後の車輌売却正式見積価格とを算出すると共に、記録手段によって、算出したこれらの正式見積をこの記録媒体に記録する（Ｌ）。
【００４１】
次にサーバー・コンピュータ１は、記録媒体２に記録した修復後の車輌売却正式見積価格から、算出手段によって、この記録媒体に記録した車輌修復正式見積費用と、この車輌売却正式見積価格の２０％分の手数料とを減じた金額である正式買取保証金を算出すると共に、この算出した正式買取保証金を、記録手段によって、この記録媒体に記録する。そしてサーバー・コンピュータ１は、記録媒体２に記録した車輌修復正式見積費用及び車輌売却正式見積価格、これらの見積に使用した車輌修復料金データ及び車輌売却相場価格データ、並びに正式買取保証金額を、送信手段によって、委託者端末５aに送信する（Ｌ）。なおサーバー・コンピュータ１は、車輌の委託売却を行なう加盟店候補の案内についても、送信手段によって、委託者端末５aに送信する（Ｌ）
【００４２】
委託者は、送信された車輌売却正式見積価格と車輌売却相場価格データとの対比等によって、希望する車輌売却価格を設定する。そしてサーバー・コンピュータ１は、受信手段によって、委託者端末５aから車輌の売却希望価格と、委託売却を行なう加盟店の指定とを受信した場合には、この売却希望価格と指定された加盟店とを、記録手段によって記録媒体２に記録すると共に、この売却希望価格、並びにこの記録媒体に記録された車輌の査定情報、車輌修復正式見積費用、修復後の車輌売却正式見積価格、及び正式買取保証金額を、送信手段によって、指定された加盟店の加盟店端末５に送信する（Ｎ）。
【００４３】
サーバー・コンピュータ１は、受信手段によって、加盟店の加盟店端末５から委託売却を引受ける旨を受信した場合には、この情報を記録手段によって記録媒体２に記録すると共に、送信手段によって、運用者端末３に送信する（Ｐ）。そしてサーバー・コンピュータ１は、運用者端末３から、受信手段によって、委託売却契約書の入力様式の送信指示を受信した場合には、この指示を記録手段によって記録媒体２に記録すると共に、抽出手段によって、この記録媒体に記録してある委託売却契約書の入力様式を抽出して、この抽出した委託売却契約書の入力様式を、送信手段によって委託者端末５ａに送信する（Ｒ）。
【００４４】
サーバー・コンピュータ１は、受信手段によって、委託者端末５ａから、委託売却契約書の入力様式に対する入力情報を受信した場合には、この入力情報を記録手段によって記録媒体２に記録すると共に、送信手段によって運用者端末３に送信する（Ｔ）。なお委託売却契約書の入力様式に対する入力情報を受信した運用者は、この委託売却契約書の入力情報を確認（Ｕ）後に、委託売却契約書を委託者に郵便等によって送付し（Ｖ）、委託者から捺印等がなされた委託売却契約書が返送された場合には（Ｗ）、運用者端末３から、車輌の引渡し案内を送信する（ＡＡ）。
【００４５】
すなわちサーバー・コンピュータ１は、受信手段によって、運用者端末３から車輌の引渡し案内を受信した場合には、記録手段によって、この車輌の引渡し案内を記録媒体２に記録すると共に、送信手段によって、委託者端末５ａ及び加盟店端末５に送信する（ＡＢ）。なお車輌の引渡し案内を受信した委託者は、車輌を加盟店に引き渡し（ＡＤ）、車輌を受領した加盟店は、上記ステップ（Ｏ）において受信した車輌修復正式見積費用等に基づき、車輌の修復を行なう（ＡＥ）。また加盟店は、受領した車輌を、上記ステップ（Ｏ）において受信した売却希望価格で、店頭等に展示、あるいはインターネット上で展示する（ＡＥ）。
【００４６】
そしてサーバー・コンピュータ１は、受信手段によって、加盟店端末５から、購入希望者の情報を受信した場合には、この情報を、記録手段によって記録媒体２に記録すると共に、送信手段によって、委託者端末５ａ及び運用者端末３に送信する（ＡＧ）。なお購入希望者の情報に基づき、委託者がこの購入希望者に売却を決定した場合には、委託者とこの購入希望者との間で、売買契約を締結する。
【００４７】
次に図５に、加盟店の店頭等に展示した車輌について、所定の期間内に購入の申し込みが無かった場合、あるいは購入の申し込み金額が、売却希望価格に満たない場合の処理を示す。すなわちサーバー・コンピュータ１は、受信手段によって、加盟店端末５から、所定の期間内に購入の申し込みが無い旨、あるいは購入の申し込み金額が売却希望価格に満たない旨を受信した場合には（ＡＫ）、この情報を、記録手段によって記録媒体２に記録すると共に、送信手段によって、運用者端末３に送信する（ＡＬ）。そしてサーバー・コンピュータ１は、受信手段によって、運用者端末３から、正式買取保証金額の支払指示を受信した場合には、この指示を、記録手段によって記録媒体２に記録すると共に、送信手段によって、委託者端末５ａと加盟店端末５とに送信する（ＡＭ）。そして運用者は、委託者との間で、車輌売買契約を締結して、この正式買取保証金額を支払い（ＡＮ）、当該車輌は運用者の所有となる。
【００４８】
なお当該車輌が運用者の所有となった後の処理を、図５のステップ（ＡＰ）〜（ＡＶ）に示す。すなわちサーバー・コンピュータ１は、受信手段によって、運用者端末３から、売却価格変更等の売買条件について再設定された情報を受信した場合には、この情報を、記録手段によって記録媒体２に記録すると共に、送信手段によって、加盟店端末５に送信する（ＡＱ）。サーバー・コンピュータ１は、受信手段によって、加盟店端末４から購入希望者の情報を受信した場合には、この情報を、記録手段によって記録媒体２に記録すると共に、送信手段によって、運用者端末３に送信する（ＡＴ）。そして運用者は、送信された購入希望者の情報に満足できる場合には、その購入希望者との間で売買契約を締結する（ＡＶ）。
【００４９】
なお上述した記車輌委託売却システムでは、容易に、次のように構成することができる。委託者の自己申告、及び検査員による査定に基づく車輌の情報は、インターネットを使用しないで、電話、ファクシミリ、または郵送によって運用者に送付する、あるいは委託者が、運用者の店舗に車輌を持込み、その場で検査員によって査定を受け、これらの車輌の情報を、運用者端末３から、サーバー・コンピュータ１に送信するように構成することができる。また車輌修復見積費用、修復後の車輌売却見積価格、及び買取保証金額等の情報は、インターネットを使用しないで、電話、ファクシミリ、または郵送によって委託者に送付するように構成することができる。
【００５０】
また委託売却契約は、インターネット６等を介して、オンラインで行なうように構成することができる。車輌の修復が完了後に、加盟店端末４から、修復後の車輌の紹介写真や車輌売却価格等を、運用者端末３、及び委託者端末５ａに送信し、加盟店による車輌の展示等の状況を知らせるように構成することができる。
【実施例】
【００５１】
図６に、本発明による車輌委託売却システムを使用した場合に委託者が受領する金額と、従来の手段を使用した場合に委託者が受領する金額とを比較したケーススタディを示す。また従来の手段は、運用者（この場合は中古車販売店等を意味する。）が、委託者（この場合は車輌の所有者を意味する。）から車輌を買取り、修復しないで転売するものである。そして車輌の買取価格は、修復しない状態の車輌売却相場価格（１００〜１５０万円）のうち最低相場価格（１００万円）から手数料２０万円を減じた、８０万円に設定している。このような従来の手段では、車輌が実際幾らで売却（転売）できるか、及びできたかは、委託者は、既に車輌を運用者に売却した後であるため全く関知できず、高く売却（転売）できた場合は、ひとえに運用者の成功報酬として、この運用者の手数料（利益）だけが増加する。
【００５２】
一方本発明による車輌委託売却システムでは、車輌を修復後に販売するものであって、委託者が希望売却価格を決め、委託者は、車輌が実際に売却された価格から、修復費用と所定の手数料とを減じた金額を受け取ることができる。なおこのケースでは、理解し易くするために、本システムの運用者が、加盟店の１であって、委託された車輌を店頭等に展示して売却するものとする。具体的に説明すると、修復費用は１０万円、また手数料は、従来と同様に２０万円とする。ここで、修復後の車輌売却相場価格は、１０万円の修復によって、１０〜３０万円程度は増大するために、１１０〜１８０万円となる。そして委託者が決めた売却価格で、売却ができなかった場合の買取保証金額を、修復後の最低車輌売却相場価格１１０万円から、修復費用１０万円と手数料２０万円とを減じた、８０万円に設定する。
【００５３】
そして実際に高く売却できた場合は、委託者の受領する金額は、大幅に増加する。よって委託者の受領できる金額は、いわば委託者の成功報酬の意味合いをもち、委託者は、ハイリスク・ハイリターン、またはロウリスク・ロウリターンのいずれでも、自分の意思によって選択することができる。またハイリスク・ハイリターンを狙って、高い希望売却価格を設定したが、実際にはその希望価格で売却できなかった場合にも、委託者は、少なくとも従来と同等の金額である買取保証金額を受領することができる。また運用者も、少なくとも従来と同等の手数料を、容易に得ることができる。
【００５４】
なお上述した手数料あるいは買取保証金額等は、１つのケーススタディーであり、他の基準や方法で設定することは自由である。たとえば希望売却価格を高くするほど、手数料を割り増しすることも有効である。
【産業上の利用可能性】
【００５５】
車輌を高額で転売でき、買取価格の透明性を確保して売却者の信用を高め、併せて多額の車輌調達資金を必要としないため、車輌に関連する産業に、広く利用可能である。
【図面の簡単な説明】
【００５６】
【図１】本システムの構成図である。
【図２】本システムの情報処理を示すブロック図である。
【図３】本システムの情報処理を示す他のブロック図である。
【図４】本システムの情報処理を示す他のブロック図である。
【図５】本システムの情報処理を示す他のブロック図である。
【図６】本システムのケーススタディを示す説明図である。
【符号の説明】
【００５７】
１          サーバー・コンピュータ
２          記録媒体
３          運用者端末
４          加盟店端末
５ａ        委託者端末
５ｂ        携帯端末
６          インターネット（通信ネット）コンピュータ
【図１】
2008027018.tif 000003
【図２】
2008027018.tif 000004
【図３】
2008027018.tif 000005
【図４】
2008027018.tif 000006
【図５】
2008027018.tif 000007
【図６】
2008027018.tif 000008